(57)【要約】【課題】電子部品が装着されるプリント基板とこのプリント基板を収容する筐体との間に絶縁性を確保すると共に電子部品の交換に供される筐体の蓋体の紛失を防止する。【解決手段】筐体構造１は筐体２と蓋体３と絶縁シート４とを有する。筐体２には、電子部品として例えばメモリ６が装着可能なプリント基板５０が収納される。また、筐体２には、メモリ６が出し入れされる開口部２０が形成されている。開口部２０は蓋体３により開閉可能である。絶縁シート４は蓋体３とプリント基板５０とを絶縁する。蓋体３の裏面において保持部３１は絶縁シート４を蓋体３と互いに一方向に往復動可能に保持する。【選択図】図１
2020202276.tif 000002
【特許請求の範囲】
【請求項１】
電子部品が装着可能なプリント基板が収納される筐体と、
前記電子部品が出し入れされる前記筐体の開口部を開閉する蓋体と、
この蓋体と互いに一方向に往復動可能に当該蓋体の裏面に保持されて当該蓋体と前記プリント基板とを絶縁する絶縁部材と
を有する筐体構造。
【請求項２】
前記蓋体の裏面には、前記絶縁部材の一部分を前記往復動可能に保持する保持部が備えられ、
前記一部分には、前記保持部が挿通される挿通口と、この挿通口にて対向して前記保持部に挿入可能な一対の保持片とが形成されたこと
を特徴とする請求項１に記載の筐体構造。
【請求項３】
前記開口部は、矩形を成し、
前記絶縁部材には、前記開口部の三辺に沿う切れ込みと、前記三辺以外の当該開口部の一辺に沿う折り目とが形成されたこと
を特徴とする請求項１または２に記載の筐体構造。
【請求項４】
前記筐体の表面には、前記蓋体と磁気接触可能な磁石部が備えられたこと
を特徴とする請求項１から３のいずれか１項に記載の筐体構造。
【請求項５】
前記筐体には、前記蓋体の一端部が挿入されて当該蓋体を当該筐体の表面にて支持する支持溝が前記開口部の一辺に沿って形成されたこと
を特徴とする請求項１から４のいずれか１項に記載の筐体構造。
【発明の詳細な説明】
【技術分野】
【０００１】
本発明は電子部品の交換が可能な電子機器の筐体構造に関する。
【背景技術】
【０００２】
電子機器の筐体は電気機器のプリント基板に着脱される電子部品として例えばメモリを出し入れするための開口部が形成されている。この開口部は樹脂製の蓋体により密閉が可能である（特許文献１，２等）。
【０００３】
多くの電子機器は底面部にてメモリが交換される構造を採る。この場合、前記蓋体は前記開口部から取り外された状態で前記メモリの交換作業が行われる。
【先行技術文献】
【特許文献】
【０００４】
【特許文献１】特開２００９−１４１０５７号公報
【特許文献２】特開２０１２−０８９８３３号公報
【発明の概要】
【発明が解決しようとする課題】
【０００５】
電子機器の筐体は絶縁処理が施されていないことが多いので、電子機器の基板と筐体との間には電気的な短絡を防ぐため何らかの電気的な絶縁処置が必要となる。これは、メモリ交換用の開口部についても同様である。
【０００６】
メモリ交換用の開口部が電子機器の底面部に形成されている場合、当該開口部から蓋体を外す際に蓋体を落下させ、意図せぬ活線への接触等による短絡故障のリスクがある。また、メモリの交換作業過程で蓋体を紛失するリスクもある。
【０００７】
前記課題の解決策としては、電子機器の基板と筐体との間に絶縁部材を介在させることが考えられるが、この絶縁部材はメモリを交換する際の障害物となることがある。
【０００８】
本発明は、電子部品が装着されるプリント基板とこのプリント基板を収容する筐体との間に絶縁性を確保すると共に電子部品の交換に供される筐体の蓋体の紛失を防止することを課題とする。
【課題を解決するための手段】
【０００９】
そこで、本発明の一態様は、筐体構造であって、電子部品が装着可能なプリント基板が収納される筐体と、前記電子部品が出し入れされる前記筐体の開口部を開閉する蓋体と、この蓋体と互いに一方向に往復動可能に当該蓋体の裏面に保持されて当該蓋体と前記プリント基板とを絶縁する絶縁部材とを有する。
【００１０】
本発明の一態様は、前記筐体構造において、前記蓋体の裏面には、前記絶縁部材の一部分を前記往復動可能に保持する保持部が備えられ、前記一部分には、前記保持部が挿通される挿通口と、この挿通口にて対向して前記保持部に挿入可能な一対の保持片とが形成されている。
【００１１】
本発明の一態様は、前記筐体構造において、前記開口部は矩形を成し、前記絶縁部材には、前記開口部の三辺に沿う切れ込みと、前記三辺以外の当該開口部の一辺に沿う折り目とが形成されている。
【００１２】
本発明の一態様は、前記筐体構造において、前記筐体の表面には、前記蓋体と磁気接触可能な磁石部が備えられている。
【００１３】
本発明の一態様は、前記筐体構造において、前記筐体には、前記蓋体の一端部が挿入されて当該蓋体を当該筐体の表面にて支持する支持溝が前記開口部の一辺に沿って形成されている。
【発明の効果】
【００１４】
以上の本発明によれば、電子部品が装着されるプリント基板とこのプリント基板を収容する筐体との間に絶縁性を確保すると共に電子部品の交換に供される筐体の蓋体の紛失を防止できる。
【図面の簡単な説明】
【００１５】
【図１】本発明の第一実施形態の筐体におけるメモリ交換用の開口部付近の縦断面図。
【図２】第一実施形態の筐体において蓋体が９０度起立した状態の前記開口部付近の縦断面図。
【図３】第一実施形態の筐体の磁石部に蓋体が接触した状態の前記開口部付近の縦断面図。
【図４】本発明の第二実施形態の筐体におけるメモリ交換用の開口部付近の縦断面図。
【図５】第二実施形態の筐体の支持溝に蓋体が支持された状態を示す前記開口部付近の縦断面図。
【図６】（ａ）は第一実施形態及び第二実施形態の蓋体の裏面を示した平面図、（ｂ）は当該蓋体の側面図。
【図７】第一実施形態及び第二実施形態における絶縁シートの態様例を示した平面図。
【図８】前記絶縁シートの取り付け説明図。
【図９】（ａ）は前記絶縁シートの挿通口の一方の縁部側に蓋体の保持部が位置する状態を示した平面図、（ｂ）は当該保持部が当該挿通口の一方の縁部側から他方の縁部側に移動する過程を示した平面図。
【発明を実施するための形態】
【００１６】
以下に図面を参照しながら本発明の実施形態について説明する。
【００１７】
（第一実施形態）
図１に示された本発明の第一実施形態である筐体構造１は、電子機器５の筐体構造であって、筐体２、蓋体３及び絶縁シート４を有する。
【００１８】
筐体２は、電子機器５のプリント基板５０を収納する。プリント基板５０のコネクタ５１には、電子部品の一態様である揮発性または不揮発性のメモリ６が装着可能である。
【００１９】
筐体２の底面部には、メモリ６が出し入れされる矩形の開口部２０が形成されている。また、開口部２０の周縁における筐体２の内面には、蓋体３を水平支持するための支持部２１が付帯される。さらに、前記底面部の表面には、蓋体３と磁気接触可能な磁石部２２が備えられる。磁石部２２は図示省略のねじ等の固定具により必要に応じて任意に取り付け可能であるとなお良い。
【００２０】
蓋体３は、筐体２の開口部２０を開閉する蓋体であり、蓋体３と同材料の鋼材から成る。蓋体３の裏面には、絶縁シート４の一部分を蓋体３と互いに一方向に往復動可能に保持する保持部３１が備えられている。
【００２１】
保持部３１は、例えば、図６（ａ）（ｂ）に示したように、蓋体３の成形過程でＮＣタレットパンチプレス等の板金加工によりアーチ状に形成され、蓋体３と一体的に突設されている。尚、保持部３１の高さは、蓋体３の裏面に絶縁シート４が配置されなくてもプリント基板６０との絶縁性が確保される程度に設定されると、なお良い。
【００２２】
絶縁シート４は、蓋体３とプリント基板６０とを絶縁するシート状の絶縁部材からなる。絶縁シート４は蓋体３の裏面において保持部３１により保持される。
【００２３】
絶縁シート４には、図７に例示したように、筐体２の開口部２０の三辺に沿う切れ込み４１と、当該三辺以外の開口部２０の一辺に沿う折り目４２とが形成されている。
【００２４】
そして、この絶縁シート４の一部分には、図８に示したように、蓋体３の保持部３１が挿通される挿通口４０と、この挿通口４０にて対向して保持部３１に挿入可能な一対の保持片４３とが形成されている。尚、挿通口４０の長さ及び幅は、絶縁シート４と蓋体３とが互いに一方向に往復動可能、例えば図９（ａ）（ｂ）に示した蓋体３の保持部３１が挿通口４０に沿って保持部３１の長手方向に往復動可能となるように設定される。
【００２５】
図１〜３を参照しながら本実施形態の筐体構造１の動作例について説明する。
【００２６】
図１に示したように、筐体２の開口部２０周縁の支持部２１に支持された蓋体３が図示省略のネジにより支持部２１に固定されると、筐体２の開口部２０は蓋体３により閉じた状態となる。このとき、筐体２内においては、絶縁シート４の一対の保持片４３が蓋体３の裏面の保持部３１に挿通されて、絶縁シート４の一部分が当該裏面にて保持された状態となっている。これにより、蓋体３とプリント基板５０上のメモリ６との間に電気的な絶縁性が確保される。
【００２７】
メモリ６の交換の際には、先ず、前記ネジが取り外される。次いで、蓋体３が筐体２の開口部２０から取り外される。筐体２内の絶縁シート４の一対の保持片４３は蓋体３の保持部３１に挿通された状態となっているので、図２に示したように、筐体２の開口部２０から蓋体３が取り外されると同時に絶縁シート４の一部分が蓋体３に付随した状態で蓋体３が引き起こされる。絶縁シート４には、開口部２０の一辺に沿って折り目４２が形成されているので、蓋体３は開口部２０に対して９０度の位置に容易に移動する。さらに、この蓋体３を筐体２上の磁石部２２に向けて倒すと、蓋体３の保持部３１が図９（ａ）（ｂ）に示したように絶縁シート４の挿通口４０の一方の縁部側から他方の縁部側に向かって挿通口４０に沿って案内されながら、蓋体３は絶縁シート４の面に沿って移動する。そして、蓋体３が筐体２の開口部２０に対して１８０度の位置に達すると、図３に示したように磁石部２２に磁気接触する。これにより、筐体２の開口部２０が開状態となる一方で蓋体３は筐体２上に係止された状態となる。その後、プリント基板５０のコネクタ５１に装着された既存のメモリ６が新たなメモリ６に交換される。
【００２８】
以上のように本実施形態の筐体構造１によれば、電子機器５のプリント基板５０と筐体２との間に絶縁性が確保されると共に、電子部品交換用の開口部２０を開閉させる蓋体３の紛失を防止できる。特に、本実施形態においては、蓋体３が絶縁シート４と一体となって筐体２の開口部２０を開閉できるので、メモリ６の交換等において、絶縁シート４をめくる作業が不要となる。また、蓋体３が筐体２において係止される態様となっており、蓋体３の意図せぬ落下や紛失が防止される。そして、この効果は筐体２の表面において蓋体３と磁気接触される磁石部２２が具備されるによりさらに顕著なものとなる。また、絶縁シート４の位置を蓋体３に対してある一定の方向に可動させることにより、蓋体３を動かす際に絶縁シート４に過剰な引っ張り力が低減する。そして、蓋体３は上述のように紛失が防止できるので、蓋体３の小型化が可能となり、筐体２における開口部２０が相対的に小径に設定できる。
【００２９】
（第二実施形態）
図４に示された本発明の第二実施形態の筐体２には、蓋体３の一端部が挿入されて蓋体３を筐体２の表面にて支持する支持溝２３が形成されている。具体的には、絶縁シート４の折り目４２に対応する筐体２の開口部２０の一辺に沿って支持溝２３が形成される。
【００３０】
図４、５を参照しながら本実施形態の筐体構造１の動作例について説明する。
【００３１】
筐体２の開口部２０が蓋体３により閉じられる際の動作は実施形態１と同様である。そして、メモリ６の交換の際には、先ず、前記ネジが取り外され、次いで、図５に示したように、蓋体３の一端部が筐体２における支持溝２３に挿入される。このとき、蓋体３は、蓋体３の一端付近が支持溝２３の長手方向の両縁部に当接するので、筐体２の表面に対して傾斜した状態で支持される。
【００３２】
以上の本実施形態の筐体構造１によれば、第一実施形態の同様の効果が奏される。特に、本実施形態においては、筐体２の開口部２０が開状態の際には蓋体３が筐体２の支持溝２３により支持されるので、磁石部２２を筐体２に具備させる必要がなくなり、部品点数の削減につながる。
【符号の説明】
【００３３】
１…筐体構造
２…筐体、２０…開口部、２１…支持部、２２…磁石部、２３…支持溝
３…蓋体、３１…保持部
４…絶縁シート（絶縁部材）、４０…挿通口、４１…切れ込み、４２…折り目、４３…一対の保持片
５…電子機器、５０…プリント基板、５１…コネクタ、
６…メモリ（電子部品）
【図１】
2020202276.tif 000003
【図２】
2020202276.tif 000004
【図３】
2020202276.tif 000005
【図４】
2020202276.tif 000006
【図５】
2020202276.tif 000007
【図６】
2020202276.tif 000008
【図７】
2020202276.tif 000009
【図８】
2020202276.tif 000010
【図９】
2020202276.tif 000011